(57)【特許請求の範囲】
【請求項１】
画像データ転送方式であって、
バス及びデータ転送コントローラと、
前記コントローラによって生成される制御信号を伝送する制御バスと、
前記コントローラによって生成される制御信号に従ってデータを伝送する複数のデータ・バスと、
前記複数のデータ・バスと選択的に通信し、データの転送動作中に前記複数のバスを隔離する複数の双方向データ・バッファと、
前記複数のデータ・バスと選択的に通信し、複数のデータ処理装置と前記複数のデータ・バスの間のデータ転送を制御する複数の直接メモリ・アクセス・コントローラと、
前記複数のデータ・バスの少なくとも１つと選択的に通信し、画像入力端末装置によって生成されるビット・マップ画像を一時的に記憶する入力バッファと、
前記複数のデータ・バスの前記少なくとも１つと選択的に通信し、圧縮ビット・マップ画像を形成するために前記ビット・マップ画像を圧縮するデータ圧縮装置と、
前記複数のデータ・バスの前記少なくとも１つと選択的に通信し、前記圧縮ビット・マップ画像を記憶するデータ記憶装置と、
前記複数のデータ・バスの前記少なくとも１つと選択的に通信し、前記圧縮ビット・マップ画像データを前記データ記憶装置から前記複数のデータ・バスの少なくとも１つを介して受けると共に、前記ビット・マップ画像を再形成するために前記圧縮ビット・マップ画像の圧縮を解除するデータ圧縮解除装置と、
前記複数のデータ・バスの少なくとも１つと選択的に通信し、出力装置に前記ビット・マップ画像を伝送する前に前記ビット・マップ画像を一時的に記憶する少なくとも１つの出力バッファと、
を備える画像データ転送方式。
【発明の詳細な説明】
【０００１】
【産業上の利用分野】
本発明は、電子複写（複製）印刷システムに関し、更に詳細には制御信号及びデータ信号を隔離する複数のバス（母線）方式を備える電子サブシステム（electronic subsystem; ＥＳＳ) に関し、このバス方式によってＥＳＳが８ビットのマイクロプロセッサ・コントローラを用いて効率的に動作できる。
【０００２】
【従来の技術】
一般的に、既存の電子複写（electronic reprographic;ＥＲ) 機は、３つの主要なサブシステムからなる。これらのサブシステムは画像入力端末装置(image input terminal;ＩＩＴ) 、電子サブシステム（electronic subsystem; ＥＳＳ) 、及び画像出力端末装置(image output terminal; ＩＯＴ) を含む。高速プリンタの場合、既存のＥＳＳ方式の処理パワー（能力）の殆どは、高速ＩＯＴに遅れないように高速データ転送を実行すると共に、複雑な画像処理機能を実行するために必要とされるのが一般的である。一般的な高速ＩＯＴの転送速度は、１分当たり１３５ページまでの範囲である（シングル・スペースのエリートでタイプされたページの場合、１秒当たり１２、０００文字、又は１分当たり７２０、０００文字に相当する）。更に、高速ＩＯＴは１平方インチあたり約６００×６００個のピクセルがある高解像力の画像形成を行うことができ、例えばその高い解像力の画像に対応する画像データ転送速度は（１ピクセル当たり１ビットである黒／白画像の場合）１億２千５百万ビット毎秒を超え、従って１ピクセル当たり複数のビットを備えるカラー印刷はデータ速度を乗じることになる。これらの高速のＩＯＴに遅れないためには、現在のＥＳＳ方式は、ＩＩＴからＩＯＴへの画像データの転送を制御するように１つ以上の１６ビット又は３２ビットの汎用マイクロプロセッサを必要とする。これらの１６ビット及び３２ビットの汎用マイクロプロセッサは高価であり、高価な支援要素の使用及びその機能を実行する複雑なソフトウェアを一般的に必要とする。大型のマイクロプロセッサはＥＳＳ用の制御信号と同様に画像データも処理するために、これらの大型のマイクロプロセッサはまた必要とされる。一方、複雑な画像処理を実行しないデジタル複写機のＥＲ機は解像力変換や、デジタル・フィルタリングをＩＩＴに頼れる。
【０００３】
高速ＥＲ機中のＩＩＴは、おそらくＩＯＴよりもかなり遅い。従って、走査は印刷される十分前に始まり、走査された画像はおそらく比較的遅いデータ速度で大量記憶システムの１つ以上の剛性大量記憶ディスクに圧縮されてバッファ（緩衝）されるであろう。一方、印刷は、ＩＯＴへ転送する前に大量記憶ディスクからの高速検索及び圧縮解除を必要とする。一般的に制御信号及び画像データは、共通バスを用いて、バス方式に要求される様々なタスクを処理するために複雑な制御方式を必要とする。
【０００４】
【発明が解決しようとする課題】
画像データ及び制御信号が互いから隔離される場合、その対応するハイ・エンド・マイクロプロセッサ、関連する支援要素、及び複雑なソフトウェア、を備える複雑な共通バス方式に対する要求は減少されるであろう。更に、高速ＥＲ機中の非常に複雑なＥＳＳ方式に関する先に上げられた問題を考慮して、必要とされているものは、システムの性能を落とさずに、ＩＩＴからＩＯＴへの画像データのフローを効率的に制御して、画像データを制御信号から隔離する、単純化されたＥＳＳ方式である。特に、互いから隔離され且つ別個の制御バス上の制御信号から隔離された多数のタスク指定データ・バス上のデータ・フローを制御するために８ビットの汎用マイクロプロセッサを利用する方式が必要とされる。
【０００５】
電子複写システムに関して上述された及び他の問題及び欠点を克服するために、本発明は単純な８ビットのマイクロプロセッサを使用する隔離された複数のバス方式を利用するＥＳＳ方式を提供し、ＩＩＴからＩＯＴへのデータの転送を制御する。
【０００６】
従って、本発明の目的は、単純なプログラムされた８ビットのマイクロプロセッサをコントローラとして利用する高速ＥＳＳ方式を備える電子複写システムを提供することである。
【０００７】
本発明の別の目的は、制御データが画像データから隔離される方式を提供することである。
【０００８】
本発明の別の目的は、画像入力端末装置及び画像出力端末装置の固有の時間抑制条件を使用するシステムを提供し、今まで実現されていなかった効率性を実現することである。
【０００９】
本発明の別の目的は、複数のバス方式を使用し、システム内の様々なデータ転送を隔離することによって、さほど複雑ではないが非常に効率的なデータ転送を提供することである。
【００１０】
本発明の更に別の目的は、制御信号だけを処理するようにプログラムされた１個の８ビットのマイクロプロセッサを、画像データ及び制御信号の両方を処理する複数の１６ビット及び３２ビットのマイクロプロセッサの代わりに用いる高速電子サブシステムを提供することによって、既存の電子複写システムのコスト及び複雑さを減少することである。
【００１１】
更に本発明の目的は、システムの性能を低下させることなく、システムのソフトウェアのコスト及び複雑さを減少することである。
【００１２】
【課題を解決するための手段と作用】
この目的及び他の目的を実現し、且つ従来の電子複写システムに関して上述で明らかにされた欠点を克服するために、単純化され、低コストであるが、非常に効率のよい画像データ転送方式を備える電子複写機が提供され、複数のデータ転送バス及び複数のデータ処理装置を制御するための手段と、データ及び制御信号のいずれかを転送する複数のバスと、複数のバスを隔離する複数の双方向データ・バッファと、複数のバスの間のデータ転送を制御する複数の直接記憶アクセス・コントローラと、入力バッファと、データ圧縮手段と、データ記憶（格納）手段と、データ圧縮解除手段と、少なくとも１つの出力バッファと、を備える。
【００１３】
本発明の態様は、画像データ転送方式であって、バス及びデータ転送コントローラと、前記コントローラによって生成される制御信号を伝送する制御バスと、前記コントローラによって生成される制御信号に従ってデータを伝送する複数のデータ・バスと、前記複数のデータ・バスと選択的に通信し、データの転送動作中に前記複数のバスを隔離する複数の双方向データ・バッファと、前記複数のデータ・バスと選択的に通信し、複数のデータ処理装置と前記複数のデータ・バスの間のデータ転送を制御する複数の直接メモリ・アクセス・コントローラと、前記複数のデータ・バスの少なくとも１つと選択的に通信し、画像入力端末装置によって生成されるビット・マップ画像を一時的に記憶する入力バッファと、前記複数のデータ・バスの前記少なくとも１つと選択的に通信し、圧縮ビット・マップ画像を形成するために前記ビット・マップ画像を圧縮するデータ圧縮装置と、前記複数のデータ・バスの前記少なくとも１つと選択的に通信し、前記圧縮ビット・マップ画像を記憶するデータ記憶装置と、前記複数のデータ・バスの前記少なくとも１つと選択的に通信し、前記圧縮ビット・マップ画像データを前記データ記憶装置から前記複数のデータ・バスの少なくとも１つを介して受けると共に、前記ビット・マップ画像を再形成するために前記圧縮ビット・マップ画像の圧縮を解除するデータ圧縮解除装置と、前記複数のデータ・バスの少なくとも１つと選択的に通信し、出力装置に前記ビット・マップ画像を伝送する前に前記ビット・マップ画像を一時的に記憶する少なくとも１つの出力バッファと、を備える。
【００１４】
【実施例】
本発明の特徴の概略理解のために、参照番号は図に付され、同様の参照番号は、同一の部材や要素を識別するために全図に共通して付けられた。図１は中に本発明の特徴を組み込む複写システムを示す概略立面図である。以下の議論から明らかになるように、本発明は広範な印刷システム中で使用することにも同様に十分に適しており、ここに示される特定のシステムへの適用に必ずしも限定されるものではない。
【００１５】
まず図１では、印刷システムの動作中、原稿３８はラスタ入力スキャナ（ＲＩＳ）１０上に配置される。ＲＩＳは、原稿照射ランプ、光学系、機械式走査駆動装置、及び電荷結合素子（ＣＣＤ）アレイを含む。ＲＩＳは原稿全体を入手（読み取り）し、それを連続するラスタ走査線に変換し、原稿のポイント毎に原色濃度のセットを測定する。次に、この情報は電子サブシステム（ＥＳＳ）１２に伝送される。ＥＳＳ１２はラスタ出力スキャナ（ＲＯＳ）１６への画像データ・フローを準備し、管理する制御電子装置を含む。ユーザ・インタフェース（ＵＩ）１４はＥＳＳと通信する。ＵＩによって、オペレータは様々なオペレータ調節機能を制御できる。これらの機能は、より複雑な電子複写システムの複雑な画像操作機能というよりもむしろ基本の画像制御機能に限定される。ＵＩからの出力はＥＳＳ１２へ伝送される。所望される画像に対応する信号はＥＳＳ１２からＲＯＳ１６へ伝送され、出力コピー画像を生成する。ＲＯＳ１６は、各走査線がインチ当たり特定数のピクセルを備える連続する水平方向の走査線中に画像をレイ・アウトする。ＲＯＳは、レーザを含み、レーザと関連する回転ポリゴン・ミラーを備える。ＲＯＳはプリンタ１８の帯電された光導電性表面を露光し、原色潜像のセットを得る。潜像は現像剤物質で現像され、画像を形成する。これらの現像された画像は、ハイライト（強調）及び／又はカラー画像をコピーシート上に形成するように、互いに重ね合わされる見当合わせ状態でコピーシートに転写される。次に、ハイライト又はカラー画像はコピーシートにフューズ（融着、定着）され、コピーを形成する。黒白用装置においては、１つの潜像だけが形成され、現像され、コピーシートに転写される。
【００１６】
引き続き図１を参照すると、プリンタ又は画像出力端末装置（ＩＯＴ）１８は、電子複写印刷機である。電子写真印刷機は光導電性ベルト２０を使用する。光導電性ベルト２０は多色光導電性物質から作られることが好ましい。ベルト２０は光導電性表面の連続部分を進めるように矢印２２の方向に移動し、結果として、その移動パスの回りに配置された様々な処理ステーションを通過する。ベルト２０は、転写ローラ２４、２６、テンション（緊張）ローラ２８、及び駆動ローラ３０に巻回される。駆動ローラ３０はベルト駆動等の適切な手段で結合されるモータ３２によって回転される。ローラ３０が回転すると、ベルト２０が矢印２２の方向に進められる。
【００１７】
先ず最初に、光導電性ベルト２０の一部分が帯電ステーションを通過する。帯電ステーションでは、コロナ発生装置３４が光導電性ベルト２０を比較的高い、ほぼ均一な電位に帯電する。
【００１８】
次に、帯電された光導電性表面は露光ステーションへ回転する。露光ステーションは、そこに位置されるハイライト・カラー原稿３８を有するＲＩＳ１０を含む。ＲＩＳは原稿３８から全体の画像を入手し（読み取り）、それをＥＳＳ１２へ電子信号として伝送する連続ラスタ出力ラインに変換する。ＲＩＳからの電子信号は、原稿中のポイント毎の画像のハイライト・カラー濃度に対応する。ＥＳＳは原稿３８のカラー濃度に対応する信号のセットをカラーメトリック（測色、比色））座標に変換する。オペレータはＵＩ１４の適切なキーを起動させ、コピーのパラメータを調節する。ＵＩ１４からの出力信号はＥＳＳへ伝送される。次にＥＳＳは、所望される画像に対応する信号をＲＯＳ１６へ伝送する。ＲＯＳ１６は回転ポリゴン（多角形）・ミラー・ブロックを備えるレーザを含む。９ブロックのポリゴンが使用されることが好ましい。ＲＯＳは光導電性ベルト２０の帯電部分をインチ当たり約６００ピクセルの割合で照射する。ＲＯＳは３つの潜像まで記録するように光導電性ベルトを露光するであろう。各潜像は異なる色の現像剤物質で現像されるように用いられる。ＲＯＳによって光導電性ベルト上に形成された潜像はＥＳＳ１２から出力された信号と対応する。静電潜像が光導電性ベルト２０上に記録されると、ベルト２０は静電潜像を現像ステーションへ進める。現像ステーションは、それぞれの現像剤ユニット４０、４２、４４、４６の一群を含む。現像剤ユニットは”磁気ブラシ現像ユニット”として従来技術に一般的に示される型の現像剤ユニットである。一般に、磁気ブラシ現像システムは、摩擦電気的にキャリア粒子に付着するトナー粒子を有する磁気キャリア粒子を含む磁化可能な現像剤物質を使用する。現像剤物質は、現像剤物質のブラシを形成するために方向性フラックス・フィールド（磁束界）を継続的に通過する。現像剤粒子は、ブラシに一貫性をもって新しい（フレッシュな）現像剤物質を提供するように継続的に移動している。現像は現像剤物質のブラシを光導電性表面と接触させることによって達成される。現像剤ユニット４０、４２、及び４４は、上述されたように光導電性表面に記録された特定の色分離された静電潜像の補色に対応する特定の色のトナー粒子をそれぞれ用いる。次に、特定色の吸収粒子を、光導電性ベルト２０に記録された静電潜像上に加える現像剤ユニット４０、４２、４４を有することによって、帯電領域は可視的になる。現像剤ユニット４６は、黒色のトナー粒子を含み、黒白の原稿から形成される静電潜像を現像するために使用される。それぞれの現像剤ユニットは、動作位置ヘ又は動作位置から移動される。動作位置では磁気ブラシは光導電性ベルトにぴったりと隣接するが、非動作位置では磁気ブラシは光導電性ベルトから離間される。それぞれの静電潜像を現像している間は、１つの現像剤ユニットだけが動作位置にあり、残りの現像剤ユニットは非動作位置にある。このことによって、それぞれの静電潜像が、混合することなく対応する色のトナー粒子で現像されることが保証される。図１の現像剤ユニット４０は動作位置にあり、現像剤ユニット４２、４４、及び４６は非動作位置に示される。
【００１９】
現像後、トナー画像は、そのトナー画像が例えば普通紙等のシート状の支持材に転写される転写ステーションに移動される。転写ステーションでは、シート搬送装置４８はシートを光導電性ベルト２０と接触させるように移動する。シート搬送装置４８はロール５０及び５２に巻回される１対の離間されたベルト５４を有する。グリッパ（くわえ爪）はベルト５４同士の間に延出し、ベルトと一致して移動する。シートはトレーに配されたシートスタック５６から送りだされる。フリクション・リタード（摩擦遅延）・フィーダ５８は、スタック５６から最上部のシートを転写前搬送装置６０へ進める。搬送装置６０はシートをシート搬送装置４８へ進める。シートは搬送装置６０によってグリッパの移動と同期して前進される。このようにして、シートの前端は予め選ばれた位置、即ち開口（オープン）されたグリッパにより受けられる装填（ローディング）領域に到達する。次にグリッパは閉じ、シートを保持して、循環パス（経路）中をシートと共に移動する。シートの前端はグリッパによって開放可能に保持される。ベルトが矢印６２の方向に移動すると、シートは光導電性ベルト上に現像されたトナー画像と同期して光導電性ベルトと接触するように移動する。転写領域６４では、トナー画像を光導電性ベルト２０からシートに引きつけるために、シートを適切な大きさ及び極性に帯電させるように、コロナ発生装置６６がシートの裏面にイオンを噴霧する。シートは、互いに重なり合わされる見当合わせ状態で転写される必要がある潜像の数に対応するサイクル（循環）数分だけ循環パス中を移動するように、グリッパに保持されたままである。
【００２０】
最後の転写動作後、グリッパは開口し、シートを開放する。コンベア６８はシートを矢印７０の方向へ、転写された画像がシートに永続的にフューズ（融着、定着）されるフュージング（融着、定着）・ステーションまで搬送する。フュージング・ステーションは加熱フューザ・ロール７４及び加圧ロール７２を含む。シートはフューザ・ロール７４及び加圧ロール７２によって画定されるニップを通過する。トナー画像は、画像がシートに定着されるようにフューザ・ロール７４と接触する。その後にシートは搬送ロール対７６によってキャッチ・トレイ７８へ進められ、次にマシン・オペレータによってそこから除去される。矢印２２で示されるベルト２０の移動方向にある最後の処理ステーションはクリーニング・ステーションである。回転可能に搭載された繊維質ブラシ８０は、クリーニング・ステーション内に配置され、光導電性ベルト２０と接触するように維持され、転写動作後に残っている残留トナー粒子を除去する。その後で、ランプ８２は光導電性ベルト２０を照射し、次の連続サイクルの開始前にベルト２０上に残っている残留電荷を除去する。前記記載はデジタル・カラー複写機に関するが、本発明は黒白又はハイライト・カラーだけの装置にも同様に適している。これらのシステムでは、潜像が少数しかないので、それに従って少数の現像ステーションしかない。
【００２１】
図２を参照すると、ＥＳＳ方式１００が示される。この方式において、プログラムされた８ビットのマイクロプロセッサ１１０は、様々なバス上の制御信号及び画像データのフローを制御する。コントローラ１１０は実際には画像データを伝送または処理しない。双方向バッファ１９０、２００、２１０によって互いから選択的に隔離される４つの別個のバス１２０、１３０、１４０及び１５０がある。制御バス１２０はコントローラ１１０によって生成される制御信号を制御バスと選択的に通信する様々な構成要素に伝送する。双方向バッファ１９０、２００、２１０は、制御バス１２０の制御信号を画像データ・バス１３０、１４０及び１５０から隔離するために用いられる。制御データから画像データを隔離することによって、マイクロプロセッサ１１０はハイ・レベルな制御を行うだけであり、画像データ自体をアクセスしない。従って、機能を制御するように複雑なソフトウェアを備える１６ビット又は３２ビットのマイクロプロセッサの必要性は全くない。例えば、Ｉｎｔｅｌ  ８５０５等の８ビットのプロセッサは、制御機能を本発明のＥＳＳ方式１００に提供するのに適している。
【００２２】
画像の複雑さが増して、マイクロプロセッサのコストが下がると、１６ビット、３２ビットと共に６４ビットのマイクロプロセッサさえ使用されるかもしれない。制御信号と画像データの分離及び隔離が主な特徴であって、マイクロプロセッサ・コントローラはいかなる画像データも直接処理せずに制御信号のみを処理する。従って、マイクロプロセッサ・コントローラの大きさは限定的ではない。更に、マイクロプロセッサ・コントローラは低コスト、広範な使用法及び利用法、プログラミングの容易さによって特徴づけられるであろう。
【００２３】
直接メモリ・アクセス（direct memory access; ＤＭＡ）・コントローラ１６０、１７０、及び１８０はバス・マスタ機能をデータ・バスに提供する。隔離バッファと共にこれらのＤＭＡコントローラを使用することは、マイクロプロセッサをあらゆる画像データ処理要求から免除する。方式の主な特徴は、画像データを制御データから分離することであり、ＤＭＡコントローラはバス・マスタ機能をデータ・バスに提供する。高速ＩＯＴに対して要求されるデータ転送速度を得るために使用される３つのデータバス１３０、１４０、及び１５０がある。このように、制御からデータ転送を隔離することによって、高速デジタル複写機中のデータ検索及びデータ転送を制御するために、８ビットのマイクロプロセッサを使用することができる。
【００２４】
高速電子複写機のＩＩＴは、おそらくＩＯＴよりもかなり遅いであろう。従って、前の画像の印刷が行われる十分前に、次の画像の走査が開始しそうである。走査画像は圧縮され比較的遅いデータ速度で１つ以上の剛性ディスク２４０にバッファされる。これにより、１つのデータ・バス１３０が全体の入力データ転送用に使用され得る。一方、印刷は、ディスク２４０からの高速検索及び圧縮された画像データの圧縮解除を必要とする。このため、ディスクから圧縮解除ステージへ、そして圧縮解除ステージから出力バッファへのデータ転送用に別個のデータ・バスが必要とされる。
【００２５】
繰り返し図２を参照すると、４つのバスが示される。上部から始めると、最初のバスは制御バス１２０である。制御バス１２０はマイクロプロセッサ１１０によって使用され、システム中の様々な入力／出力データ、データ圧縮、記憶装置とアクセスする。第２番目のバスは入力バス１３０である。入力バス１３０は入力データ、即ちＩＩＴからの走査画像を、先ず入力バッファ２２０からデータ圧縮ユニット２３０へ転送し、次に圧縮装置２３０から例えば複数の剛性ディスク装置でもよい大容量記憶装置２４０へ転送するために使用される。第３番目のバスは圧縮解除バス１４０である。圧縮解除バス１４０は圧縮された画像を大容量記憶ユニット２４０から圧縮解除ユニット２５０へ転送するために用いられる。圧縮解除装置２５０は圧縮画像データの圧縮を解除し、出力バス１５０である４番目のバスを介して画像データを出力する。出力バス１５０は圧縮解除された画像を１つ又は２つの出力バッファ２７０、２６０へ転送する。単一カラー・システム、即ち黒白システムの場合、１つの出力バッファ２６０だけが必要とされる。ハイライト・カラー機は、黒白出力バッファ２６０とカラー出力バッファ２７０の両方を必要とする。追加の出力バッファは、用いられる処理色の数が増加すると必要とされることがある。
【００２６】
高速ＩＯＴに必要なデータ転送速度によって３つのデータ・バスの使用が必要とされる。入力バス１３０は、現在利用可能なＩＩＴに遅れないほど早く画像を入力から圧縮装置を介して大容量記憶装置へ転送できる。既存の圧縮解除装置から得られる比較的遅い圧縮解除速度（高速ＩＯＴで要求されるデータ処理能力速度に比べて遅い）のために、別個の圧縮解除バス１４０及び出力バス１５０は必要とされる。圧縮解除技術が向上すると、圧縮解除バス１４０を方式１００から除去できるかもしれない。
【００２７】
更に、ＥＳＳ方式１００は、ＩＯＴによる出力用のＡＳＣＩＩ文字データのソースに成りえるフロッピー・ディスク・ドライブ２８０を含んでもよい。この場合、フロッピー・ディスク２８０はユーザ命令に従って所望されるＡＳＣＩＩデータを提供し、このデータを制御バス１２０及び入力バス１３０のいずれかを介して文字発生装置３００へ出力する（図２では制御バス１２０と文字発生装置３００との接続を示している）。ＡＳＣＩＩデータはＡＳＣＩＩ文字データの８ビット特性により制御バス及び入力バスのいずれかを用いて転送され得る。次に、文字発生装置３００は変換されたビット・マップ・データを出力バス１５０を介して出力バッファ２６０へ出力する。フロッピー・ディスクによって伝送された文字データは、入力バッファからの画像データとマージ（併合）され、画像に重ねられるマージ（併合）文字ストリング（注釈とも呼ばれる）を走査画像に提供することができる。更に、文字データは産業（工業）標準Postscript（ポストスクリプト) 、ＰＣＬ−ｘｘ、ＥＢＳＤＣ、又はデータを出力される文字画像データに変換するように適切に構成された解読装置（ディコーダ）や翻訳プログラム（トランスレータ）を有する、あらゆる他の文字符号化技術等を含む幾つもの方法で符号化されてもよい。
【００２８】
方式に導入されうる別の特徴はＰＣインタフェース２９０である。ＰＣインタフェース２９０はパーソナル・コンピュータと通信し、画像及び／又はテキスト・データを、圧縮、記憶、圧縮解除、及び出力バス１５０への事象的転送のために、入力バスへ転送する。ＰＣインタフェースは、画像を入力バッファ内にあるデータとマージするために及び／又は、例えば、ある文書用にロゴまたはレターヘッドを使用すること等、マージされた文字データを画像に提供するために用いることができる。更に、フロッピー及びＰＣインタフェースの両方は、従来のレーザ・プリンタの出力のようにレーザ・プリンタ出力としてプリント・アウトされるワード処理データを入力バスに提供するために使用できる。更に、例えばあらゆる産業標準ワークステーション又は演算プラットホーム、即ちあらゆる産業標準ネットワーク、プロトコル（通信規約）又はデータ転送媒体等のビット・マップ画像データ又は文字データのためのあらゆるソースは適切なインタフェースと共に使用されることができる。
【００２９】
図に、関連して上述されたが、８ビットのマイクロプロセッサ・コントローラ１１０は、画像データ自体を処理することなくデータ処理装置を制御し、調整するために使用され得る。更に、バスからバスへ（バス間の）の直接転送はない。ＤＭＡコントローラ１６０、１７０、及び１８０は、様々なバスのビット間（ｂｉｔ−ｔｏ−ｂｉｔ）レベルのデータ移動を制御するために使用される。従ってＤＭＡコントローラはデータ・バスを効果的に所有し、全データ転送を制御する。従ってマイクロプロセッッサ・コントローラ１１０は様々なデータ処理装置からのデータのフロー（流れ）を管理する”トラフィック・コップ（交通整理の警察官のように通信整理者）”であることだけを必要とする。従って、ＥＳＳの特定のデータ・バスへのデータ転送を隔離することによって、高速デジタル複写機のデータ検索及びデータ転送を制御するために８ビットのマイクロプロセッサを使用することは可能である。
【００３０】
【発明の効果】
本発明によって単純な８ビットのマイクロプロセッサを使用する隔離された複数のバス方式を利用するＥＳＳ方式が提供され、ＩＩＴからＩＯＴへのデータの転送が制御される。
【００３１】
本発明は、単純なプログラムされた８ビットのマイクロプロセッサをコントローラとして利用する高速ＥＳＳ方式を備える電子複写システムを提供する。
【００３２】
本発明は、制御データが画像データから隔離される方式を提供する。
【００３３】
本発明は、画像入力端末装置及び画像出力端末装置の固有の時間抑制条件を使用するシステムを提供し、今まで実現されていなかった効率性を実現する。
【００３４】
本発明は、複数のバス方式を使用し、システム内の様々なデータ転送を隔離することによって、さほど複雑ではないが非常に効率的なデータ転送を提供する。
【００３５】
本発明は、制御信号だけを処理するようにプログラムされた１個の８ビットのマイクロプロセッサを、画像データ及び制御信号の両方を処理する複数の１６ビット及び３２ビットのマイクロプロセッサの代わりに用いる高速電子サブシステムを提供することによって、既存の電子複写システムのコスト及び複雑さを減少する。
【００３６】
本発明によって、システムの性能を低下させることなく、システムのソフトウェアのコスト及び複雑さをが減少される。
【図面の簡単な説明】
【図１】中に本発明の特徴を組み込む電子複写印刷システムの概略立面図を示す。
【図２】本発明に従って画像データ転送方式のブロック図を示す。
【符号の説明】
１２０    制御バス
１３０    データ・バス
１４０    データ・バス
１５０    データ・バス
１６０    入力メモリ・アクセス
１７０    入力メモリ・アクセス
１８０    入力メモリ・アクセス
１９０    双方向バッファ
２００    双方向バッファ
２１０    双方向バッファ
２２０    入力バッファ
２３０    圧縮装置
２４０    大容量記憶装置
２５０    圧縮解除装置
２６０    黒白出力バッファ
２７０    カラー出力バッファ
【図１】
0003718241.tif 000002
【図２】
0003718241.tif 000003